(57)【要約】【課題】ディスプレイの輝度ムラが少ない光学シート及びこれを用いたバックライトユニット、並びにこれらを用いたディスプレイ装置を提供する。【解決手段】片面又は両面に調光機能を有する調光機能シート８と光源６からの光を拡散する光伝達層９とを備え、調光機能シート８は光伝達層９と対向する側の面に粘着層１０を有し、光伝達層９は調光機能シート８と対向する側の面に少なくとも１つ以上のスペーサー部材１１を有し、調光機能シート８と光伝達層９とは粘着層１０とスペーサー部材１１の先端とが接合させることにより一体化されると共に、粘着層１０の表面とスペーサー部材１１の側面とのなす角αが２０〜８５°の範囲であることを特徴とする光学シート３。【選択図】図１
2009150981.tif 000002
【特許請求の範囲】
【請求項１】
画像表示に用いられる光学シートであって、
片面又は両面に調光機能を有する調光機能シートと光源からの光を拡散する光伝達層とを備え、
前記調光機能シートは前記光伝達層と対向する側の面に粘着層を有し、
前記光伝達層は前記調光機能シートと対向する側の面に少なくとも１つ以上のスペーサー部材を有し、
前記調光機能シートと前記光伝達層とは前記粘着層と前記スペーサー部材の先端とが接合させることにより一体化されると共に、前記粘着層の表面と前記スペーサー部材の側面とのなす角αが２０〜８５°の範囲であることを特徴とする光学シート。
【請求項２】
画像表示に用いられる光学シートであって、
片面又は両面に調光機能を有する調光機能シートと光源からの光を拡散する光伝達層とを備え、
前記調光機能シートは前記光伝達層と対向する側の面に少なくとも１つ以上のスペーサー部材を有し、
前記光伝達層は前記調光機能シートと対向する側の面に粘着層を有し、
前記調光機能シートと前記光伝達層とは前記粘着層と前記スペーサー部材の先端とが接合させることにより一体化されると共に、前記粘着層の表面と前記スペーサー部材の側面とのなす角αが２０〜８５°の範囲であることを特徴とする光学シート。
【請求項３】
画像表示に用いられる光学シートであって、
片面又は両面に調光機能を有する調光機能シートと光源からの光を拡散する光伝達層とを備え、
前記調光機能シート及び前記光伝達層は互いに対向する側の面にそれぞれ粘着層を有し、
前記粘着層同士の間に少なくとも１つ以上のスペーサー部材を有し、
前記調光機能シートと前記光伝達層とは前記粘着層と前記スペーサー部材の先端とが接合させることにより一体化されると共に、前記粘着層の表面と前記スペーサー部材の側面とのなす角αが２０〜８５°の範囲であることを特徴とする光学シート。
【請求項４】
画像表示に用いられる光学シートであって、
片面又は両面に調光機能を有する調光機能シートと光源からの光を拡散する光伝達層とを備え、
前記調光機能シート及び前記光伝達層は互いに対向する側の面にそれぞれ少なくとも１つ以上のスペーサー部材を有し、
前記スペーサー部材同士の間に粘着層を有し、
前記調光機能シートと前記光伝達層とは前記粘着層と前記スペーサー部材の先端とが接合させることにより一体化されると共に、前記粘着層の表面と前記スペーサー部材の側面とのなす角αが２０〜８５°の範囲であることを特徴とする光学シート。
【請求項５】
前記スペーサー部材は、前記光学シートの厚さ方向の幅が１０μｍ以上２５０μｍ以下の範囲であると共に、
多角錐、円錐、多角台錐、円台錐、多角柱、円柱、直方体、球体、半球体、楕円体、これらを複合した形状のいずれかの形状を有することを特徴とする請求項１乃至４のいずれか一項に記載の光学シート。
【請求項６】
前記スペーサー部材は、前記光学シートの厚さ方向の幅が１０μｍ以上２５０μｍ以下の範囲であると共に、
断面形状が多角形、半円形、これらを複合した形状のいずれかである凸条形状を有するリブ部材であることを特徴とする請求項１乃至４のいずれか一項に記載の光学シート。
【請求項７】
前記スペーサー部材は、前記調光機能シート又は前記光伝達層と一体に形成されることを特徴とする請求項１乃至６のいずれか一項に記載の光学シート。
【請求項８】
前記リスペーサー部材は、単体で成型されると共に、前記粘着層を介して前記調光機能シート又は前記光伝達層と一体接合されることを特徴とする請求項１乃至６のいずれか一項に記載の光学シート。
【請求項９】
前記スペーサー部材は、屈折率の異なる有機粒子や無機粒子を含むことを特徴とする請求項１乃至８のいずれか一項に記載の光学シート。
【請求項１０】
前記粘着層は、１００℃における貯蔵弾性率Ｇ’が１．０×１０４Ｐａ以上１．０×１０８以下の範囲であることを特徴とする請求項１乃至９のいずれか一項に記載の光学シート。
【請求項１１】
前記粘着層は、厚さが２μｍ以上１５μｍ以下の範囲であることを特徴とする請求項１乃至１０のいずれか一項に記載の光学シート。
【請求項１２】
前記粘着層は、屈折率の異なる有機粒子や無機粒子を含むことを特徴とする請求項１乃至１１のいずれか一項に記載の光学シート。
【請求項１３】
前記調光機能シート及び前記光伝達層のいずれか一方又は両方に屈折率の異なる有機粒子や無機粒子を含むことを特徴とする請求項１乃至１２のいずれか一項に記載の光学シート。
【請求項１４】
前記調光機能シート及び前記光伝達層のいずれか一方又は両方の片面もしくは両面に、高さ５μｍ以上のプリズムレンズアレイ、マイクロレンズアレイ、シリンドリカルレンズアレイ、これらを複合した形状のレンズアレイのいずれかの形状が形成されていることを特徴とする請求項１乃至１３のいずれか一項に記載の光学シート。
【請求項１５】
表示画像を規定する画像表示素子の背面に、光源と、少なくとも１枚以上の光学シートを備えるバックライトユニットであって、
前記光学シートが請求項１乃至１４のいずれか一項に記載の光学シートであることを特徴とするバックライトユニット。
【請求項１６】
表示画像を規定する画像表示素子の背面に、光源と、複数の光学シートを備えるバックライトユニットであって、
前記光学シートの少なくとも１以上が請求項１乃至１５のいずれか一項に記載の光学シートであることを特徴とするバックライトユニット。
【請求項１７】
前記光源が冷陰極管もしくはＬＥＤもしくは半導体レーザーであることを特徴とする請求項１５又は１６に記載のバックライトユニット。
【請求項１８】
画素単位での透過／遮光に応じて表示画像を規定する液晶表示素子からなる画像表示素子と、光源と、バックライトユニットを備えるディスプレイ装置であって、
前記バックライトユニットが請求項１５乃至１７のいずれか一項に記載のバックライトユニットであることを特徴とするディスプレイ装置。
【発明の詳細な説明】
【技術分野】
【０００１】
本発明は、主に液晶表示素子を用いたディスプレイ用バックライトユニットにおいて照明光路制御に使用される光学シートの改良に関するものであり、また、前記シートを搭載したバックライトユニットおよびディスプレイ装置に関するものである。
【背景技術】
【０００２】
近年、液晶パネルを使用した液晶表示装置（ＬＣＤ）がノート型パソコンやパソコン用ディスプレイ、情報端末機器等の画像表示手段、大型画面テレビ等の情報家電の画像表示手段、さらには携帯電話や個人用携帯情報端末（ＰＤＡ：Ｐｅｒｓｏｎａｌ  Ｄｉｇｉｔａｌ  Ａｓｓｉｓｔａｎｃｅ）の画像表示手段等として様々な分野で利用されてきている。
【０００３】
液晶表示装置に代表されるディスプレイ装置では、提供される情報を認識するのに必要な光源を内蔵しているタイプの普及が著しい。このような液晶表示装置では液晶パネルの背面側に光源を配設して、この光源からの光を液晶パネルに照射する光源装置としていわゆるバックライトユニットが採用されている。
【０００４】
ここで、通常使用される光源は線状もしくは点状であることから、そのまま照射すると輝度分布に大きなムラが生じる。こうした輝度ムラは、ディスプレイに提供される情報を認識する際に大きな妨げとなる。また、光源で消費する電力は、電池式装置全体で消費する電力の相当部分を占めるため、所定の輝度を提供するのに必要な総電力を低減することが望まれていた。
【０００５】
これらの問題を解決するためにディスプレイのバックライトユニットには光源からの輝度分布を拡散し均一にする光学シートが使用されている。
【０００６】
このようなバックライトユニットに搭載される光学シートとして米国３Ｍ社の登録商標である輝度強調フィルム（ＢＲＩＧＨＴＮＥＳＳ  Ｅｎｈａｎｃｅｍｅｎｔ  Ｆｉｌｍ：ＢＥＦ）が広く使用されている。輝度強調フィルムは、シート状部材上に断面三角形状の屋根型の単位プリズムが一方向に配列されたフィルムである。輝度強調フィルムをディスプレイ装置に使用した場合、“軸外（ｏｆｆ―ａｘｉｓ）”からの光を集光し、この光を視聴者に向けて“軸上（ｏｎ―ａｘｉｓ）”に方向転換（ｒｅｄｉｒｅｃｔ）または“リサイクル（ｒｅｃｙｃｌｅ）”することによってディスプレイ画面に対する法線方向の輝度を増大させることができる。
【０００７】
また通常、光学シートには光拡散部材が備えられており、これによって光源部から表示画面側に出射される光を拡散させて該光源の配置による輝度ムラを解消することができるようになっている。さらに、このような光学シートには剛性を有する光透過性基材が備えられており、これによって光学シートにおける剛性を確保するとともにしわやたるみによる表示画像のムラが抑制されている。
【０００８】
以上のような、集光機能、光拡散機能及び剛性を備えた光学シートとして、特許文献１には、レンズシートと拡散板とを反射機能を有するスペーサー部材を介して、粘着層で空隙を確保しつつ一体接合した液晶表示装置用光学シートが開示されている。このように各機能を集約した構成とすることによって、製造工程の簡略化や光学シート自体の薄型化を促進することができるとされている。
【０００９】
ところで、表示領域内で一体接合された光学シートでは、図８（ａ）に示すように、ディスプレイ観察者側からスペーサー部材１１１と粘着層１１０との非接触領域１２０と、スペーサー部材１１１と粘着層１１０との接触領域１２１との出射光の配光分布が異なるためにディスプレイの輝度ムラと視認されてしまう問題がある。このため、接触領域１２１の面積の分布をディスプレイの面全体で一様にしたりすることによって、個々の領域を認識がむずかしくなるような工夫が施されている。
【特許文献１】特開２００６−１０６１９７号公報
【発明の開示】
【発明が解決しようとする課題】
【００１０】
しかしながら、特許文献１で開示されている光学シートは、図８（ｂ）に示すように、製造時、輸送時、保管時およびディスプレイ使用時に外部から圧力が加わると圧力が加わった部分のみ局所的にスペーサー部材１１１と粘着層１１０との接触領域２１の面積が変化してしまい、観察者にディスプレイの輝度ムラとして認識されてしまうという問題があった。
【００１１】
本発明は、このような課題に鑑みてなされたものであり、ディスプレイの輝度ムラが少ない光学シート及びこれを用いたバックライトユニット、並びにこれらを用いたディスプレイ装置を提供することを目的とする。
【課題を解決するための手段】
【００１２】
上記の目的を達成するために、本発明は以下の構成を採用した。
本発明の光学シートは、画像表示に用いられる光学シートであって、片面又は両面に調光機能を有する調光機能シートと光源からの光を拡散する光伝達層とを備え、調光機能シートは光伝達層と対向する側の面に粘着層を有し、光伝達層は調光機能シートと対向する側の面に少なくとも１つ以上のスペーサー部材を有し、調光機能シートと光伝達層とは粘着層とスペーサー部材の先端とが接合させることにより一体化されると共に、粘着層の表面とスペーサー部材の側面とのなす角αが２０〜８５°の範囲であることを特徴とする。
【００１３】
また、本発明の光学シートは、画像表示に用いられる光学シートであって、片面又は両面に調光機能を有する調光機能シートと光源からの光を拡散する光伝達層とを備え、調光機能シートは光伝達層と対向する側の面に少なくとも１つ以上のスペーサー部材を有し、光伝達層は調光機能シートと対向する側の面に粘着層を有し、調光機能シートと光伝達層とは粘着層とスペーサー部材の先端とが接合させることにより一体化されると共に、粘着層の表面とスペーサー部材の側面とのなす角αが２０〜８５°の範囲であることを特徴とする。
【００１４】
また、本発明の光学シートは、画像表示に用いられる光学シートであって、片面又は両面に調光機能を有する調光機能シートと光源からの光を拡散する光伝達層とを備え、調光機能シート及び光伝達層は互いに対向する側の面にそれぞれ粘着層を有し、粘着層同士の間に少なくとも１つ以上のスペーサー部材を有し、調光機能シートと光伝達層とは粘着層とスペーサー部材の先端とが接合させることにより一体化されると共に、粘着層の表面とスペーサー部材の側面とのなす角αが２０〜８５°の範囲であることを特徴とする。
【００１５】
また、本発明の光学シートは、画像表示に用いられる光学シートであって、片面又は両面に調光機能を有する調光機能シートと光源からの光を拡散する光伝達層とを備え、調光機能シート及び光伝達層は互いに対向する側の面にそれぞれ少なくとも１つ以上のスペーサー部材を有し、スペーサー部材同士の間に粘着層を有し、調光機能シートと光伝達層とは粘着層とスペーサー部材の先端とが接合させることにより一体化されると共に、粘着層の表面とスペーサー部材の側面とのなす角αが２０〜８５°の範囲であることを特徴とする。
【００１６】
本発明は、粘着層の表面とスペーサー部材の側面とのなす角αを２０〜８５°の範囲と規定することにより、光学シートに外部から圧力が加わった場合でも、スペーサー部材と粘着層との接触領域の面積が変化しにくくすることができる。
【００１７】
本発明のスペーサー部材は、光学シートの厚さ方向の幅が１０μｍ以上２５０μｍ以下の範囲であると共に、多角錐、円錐、多角台錐、円台錐、多角柱、円柱、直方体、球体、半球体、楕円体、これらを複合した形状のいずれかの形状を有することが好ましい。
また、スペーサー部材は、光学シートの厚さ方向の幅が１０μｍ以上２５０μｍ以下の範囲であると共に、断面形状が多角形、半円形、これらを複合した形状のいずれかである凸条形状を有するリブ部材であることが好ましい。
さらに、スペーサー部材は、調光機能シート又は光伝達層と一体に形成されることが好ましい。
更にまた、スペーサー部材は、単体で成型されると共に、粘着層を介して調光機能シート又は光伝達層と一体接合されることが好ましい。
また、スペーサー部材は、屈折率の異なる有機粒子や無機粒子を含むことが好ましい。
【００１８】
本発明は、上記スペーサー部材を用いることにより、光学シートに外部から圧力が加わってスペーサー部材と粘着層との接触領域の面積が変化した場合であっても、当該接触領域の面積をすみやかに復元することができる。
【００１９】
本発明の粘着層は、１００℃における貯蔵弾性率Ｇ’が１．０×１０４Ｐａ以上１．０×１０８以下の範囲であることが好ましい。また、厚さが２μｍ以上１５μｍ以下の範囲であることが好ましく、屈折率の異なる有機粒子や無機粒子を含むことが好ましい。
【００２０】
本発明の光学シートは、調光機能シート及び光伝達層のいずれか一方又は両方に屈折率の異なる有機粒子や無機粒子を含むことが好ましい。
また、調光機能シート及び光伝達層のいずれか一方又は両方の片面もしくは両面に、高さ５μｍ以上のプリズムレンズアレイ、マイクロレンズアレイ、シリンドリカルレンズアレイ、これらを複合した形状のレンズアレイのいずれかの形状が形成されていることが好ましい。
【００２１】
本発明のバックライトユニットは、表示画像を規定する画像表示素子の背面に、光源と、少なくとも１枚以上の光学シートを備えるバックライトユニットであって、光学シートが前述の光学シートであることを特徴とする。
【００２２】
また、本発明のバックライトユニットは、表示画像を規定する画像表示素子の背面に、光源と、複数の光学シートを備えるバックライトユニットであって、光学シートの少なくとも１以上が前述の光学シートであることを特徴とする。
また、光源は、冷陰極管もしくはＬＥＤもしくは半導体レーザーであることが好ましい。
【００２３】
本発明のディスプレイ装置は、画素単位での透過／遮光に応じて表示画像を規定する液晶表示素子からなる画像表示素子と、光源と、バックライトユニットを備えるディスプレイ装置であって、バックライトユニットが前述のバックライトユニットであることを特徴とする。
【発明の効果】
【００２４】
以上のように、本発明によって、ディスプレイの輝度ムラが少ない光学シート及びこれを用いたバックライトユニット、並びにこれらを用いたディスプレイ装置を提供することができる。
【発明を実施するための最良の形態】
【００２５】
以下、本発明の実施の形態について、図面を参照して詳細に説明する。また、本実施形態に係る光学シートについては、それを用いたバックライトユニット及びディスプレイ装置とともに説明する。尚、以下の図は本実施形態の構成を説明するためのものであり、図示される各部の大きさや厚さや寸法等は、実際の寸法関係とは異なる場合がある。
【００２６】
図１は、本実施形態によるディスプレイ装置の概略構成を示す断面模式図である。
本実施形態によるディスプレイ装置１は、図１に示すように光源部２、光学シート３及び液晶表示部４がこの順に積層され、液晶表示部４から図示上側に向けて画像信号によって表示制御された表示光を出射することで、例えば平面矩形状の画像を表示するものである。また、光源部２と光学シート３とでバックライトユニット５を構成している。以下では、このような配置に基づいて、図１の上方向を単に表示画面側または出射側、下方向を単に背面側または入射側と称する。
【００２７】
図１において、光源部２は、紙面奥行き方向に延びるライン状の発光部が図示左右方向に一定のピッチで離間して配置された複数の光源６と、これら光源６を背面側から覆って表示画面側に開口する反射板７とで構成される直下型方式を採用している。
【００２８】
光源６としては、白色光を出射する機能を有する冷陰極管などを用いるが、複数のＬＥＤ素子を紙面奥行き方向に沿うライン状に配列したＬＥＤ光源や、冷陰極蛍光ランプ、ＥＬシート、半導体等などを採用してもよい。
【００２９】
なお、この光源部２は、光学シート３の背面側に白色光を出射できればこのような構成に限定されず、周知のいかなる構成の光源を採用してもよい。例えば、導光面の側面にライン状光源を配置したエッジライト式の面光源等などを採用してもよい。
【００３０】
光学シート３は、光源部２から表示画面側に出射される光の一部を集光して、表示画面側に透過させ、他の光を光源部２側に反射して該光源部２に再入射させるものであり、図１に示すように、液晶表示部４側に位置する調光機能シート８と光源部２側に位置する光伝達層９とが、粘着層１０とスペーサー部材１１の先端とが接合することにより一体化されて構成されている。
【００３１】
なお、一体型の光学シート３に求められる機能として、光源６からの光を拡散する機能及び、拡散させた光を所望の配光分布に調光する機能がある。これらの機能はそれぞれ異なる層に付与される場合もあるし、複数の部材に重複して付与される場合もある。さらに、一体型の光学シート３は、自立状態でしわが発生しないような剛性を有することが求められる。剛性は一体型の光学シート３中の特定の層に付与しても良いし、複数の層に付与しても良い。また、個々の層の剛性が不足していても、一体型の光学シート３として剛性を有していれば良い。
【００３２】
調光機能シート８は、例えばレンズシートや拡散シート等の屈折率差を利用したものである。調光機能シート８には、少なくともシート部材の片面もしくは両面に、プリズムレンズアレイ、マイクロレンズアレイ、シリンドリカルレンズアレイ、これらを複合した形状のレンズアレイのいずれかの形状が形成されているものを用いることができる。また、レンズアレイ以外にも略同一または非対称の多角錐、円錐、多角台錐、円台錐、多角柱、円柱、直方体、球体、半球体、楕円体、これらを複合した形状のいずれかの形状が少なくとも１種類以上、ストライプ状もしくは点状、もしくは不規則に配列されて成型されてなるものを形成してもよい。また、調光機能シート８には、レンズアレイが形成された１以上のシート部材を重ね合わせて用いてもよい。
【００３３】
これらの形状の形成方法としては、シート部材にあらかじめコロナ処理や易接着処理し、処理面にＵＶ樹脂を塗布する。その後、ＵＶ樹脂に所望のレンズ形状の金型を押し当て、ＵＶを照射し硬化させる。または熱可塑性樹脂を押し出し法や射出成型、熱プレスにて成型する。もしくは熱硬化性樹脂を用いて成型する。
【００３４】
シート部材としてはＰＥＴ（ポリエチレンテレフタレート）、ガラス、ＰＣ（ポリカーボネート）、ＰＳ（ポリスチレン）など当該分野でよく知られている透明基材を使用できる。
一方、ＵＶ樹脂としては、アクリル系やエポシキ系等の当該分野でよく知られているＵＶ硬化性樹脂を使用できる。
一方、熱可塑性樹脂としては、ＰＣ（ポリカーボネート）、ＰＳ（ポリスチレン）、ＰＭＭＡ（ポリメタクリル酸メチル（ポリメチルメタクリレート、アクリル樹脂））、ＭＳ（メタクリル酸メチルスチレン共重合体）、ＡＳ（アクリロニトリルスチレン共重合体）など当該分野でよく知られている熱可塑性樹脂を使用できる。
一方、熱硬化性樹脂としては、フェノール樹脂やメラミン樹脂等の当該分野でよく知られている熱硬化性樹脂を使用できる。
【００３５】
また、他の形成方法として、シート部材上に球状の有機粒子や無機粒子を塗布し、作成することもできる。
【００３６】
球状の有機粒子や無機粒子としては、アクリル粒子、スチレン粒子、スチレンアクリル粒子及びその架橋体；メラミン−ホルマリン縮合物の粒子；ＰＴＦＥ（ポリテトラフルオロエチレン）、ＰＦＡ（ペルフルオロアルコキシ樹脂）、ＦＥＰ（テトラフルオロエチレン−ヘキサフルオロプロピレン共重合体）、ＰＶＤＦ（ポリフルオロビニリデン）、及びＥＴＦＥ（エチレン−テトラフルオロエチレン共重合体）等の含フッ素ポリマー粒子；シリカおよびシリコン樹脂粒子等を挙げることができる。これら透明粒子は、材質や粒径が異なるものを２種類以上混合して使用してもよい。
【００３７】
調光機能シート８は、シート部材の屈折率とは異なる有機粒子や無機粒子を含有し、拡散機能やムラ消し機能を付与しても良い。
【００３８】
有機粒子や無機粒子を含有させる方法としては、前述のＵＶ樹脂にあらかじめ混入して形成しても良い。または、前述の熱可塑性樹脂や熱硬化性樹脂に混ぜ、押し出し法で形成しても良い。押し出し法で形成する場合には有機粒子や無機粒子を含む層と含まない層とを多層で押し出し形成してもよい。または、あらかじめ形成した調光機能シート８に有機粒子や無機粒子を含む樹脂をシート状に成型したものを接合しても良い。
なお、有機粒子や無機粒子としては、球状の有機粒子や無機粒子として前述したものと同じものを用いることができる。
【００３９】
また、前述した球状の有機粒子や無機粒子に加えて、拡散や隠蔽などの効果を併せ持つ高屈折率透明粒子、金属粒子を１種類又は複数種類混ぜて使用しても良い。これらの高屈折率透明粒子及び金属粒子として、酸化チタン、硫酸バリウム、炭酸マグネシウム、酸化亜鉛、クレー、水酸化アルミニウム、硫化亜鉛金属粒子、アルミニウム、銀等を例示することができる。
【００４０】
また、あらかじめ作成した調光機能シート８に有機粒子や無機粒子を含む樹脂を塗工して形成してもよい。有機粒子や無機粒子を含む樹脂としては、アクリル、ウレタン、ＥＶＡなど当該分野でよく知られているＵＶ樹脂を用いることができる。
【００４１】
本実施形態では、調光機能シート８の厚さは特に限定されるものではない。一体型の光学シート３は、前述のように光学シート３全体として剛性を有していれば良い。したがって、調光機能シート８は、薄いシートであっても良いし、十分な剛性を有しているシートであっても良い。また、調光機能シート８に剛性を持たせるため、前述した方法で形成した調光機能シート８に、板材等を貼り合わせて補強しても良い。
【００４２】
光伝達層９には、例えば拡散板を用いることができる。
拡散板は、透明樹脂とその透明樹脂の中に分散された透明粒子とを備えて構成されており、これらの透明樹脂の屈折率と透明粒子の屈折率とが異なることを要する。そして、透明樹脂の屈折率と透明粒子の屈折率との差は、０．０２以上であることが望ましい。前述の屈折率の差が０．０２未満であると、十分な光散乱性能が得られないために好ましくない。また、屈折率の差は、０．５以下であればよい。
【００４３】
拡散板は、入射した光を散乱させながら透過させる必要がある。このため、拡散板の透明樹脂中に分散された透明粒子の平均粒径は、０．５〜３０．０μｍの範囲であることが好ましく、１．０〜２０．０μｍの範囲であることがより好ましい。
また、拡散板は、透明樹脂中に空気を含む微細な空洞を有した構造となっているため、透明樹脂と空気との屈折率の差によって光散乱性能を得ても良い。
【００４４】
透明樹脂には、例えば、ポリカーボネート樹脂、アクリル系樹脂、フッ素系アクリル樹脂、シリコン系アクリル樹脂、エポキシアクリレート樹脂、ポリスチレン樹脂、シクロオレフィンポリマー、メチルスチレン樹脂、フルオレン樹脂、ＰＥＴ（ポリエチレンテレフタレート）、ＰＰ（ポリプロピレン）、ＡＳ（アクリロニトリルスチレン共重合体）等を適用することができる。
【００４５】
透明粒子には、無機酸化物からなる透明粒子、又は樹脂からなる透明粒子を適用することができる。例えば、無機酸化物からなる透明粒子として、シリカやアルミナ等からなる粒子を挙げることができる。一方、樹脂からなる透明粒子として、アクリル粒子、スチレン粒子、スチレンアクリル粒子及びその架橋体；メラミン−ホルマリン縮合物の粒子、ＰＴＦＥ（ポリテトラフルオロエチレン）、ＰＦＡ（ペルフルオロアルコキシ樹脂）、ＦＥＰ（テトラフルオロエチレン−ヘキサフルオロプロピレン共重合体）、ＰＶＤＦ（ポリフルオロビニリデン）、及びＥＴＦＥ（エチレン−テトラフルオロエチレン共重合体）等の含フッ素ポリマー粒子、シリコン樹脂粒子等を挙げることができる。これらの透明粒子は、２種類以上を混合して使用してもよい。
【００４６】
拡散版は、前述の透明樹脂中に前述の透明粒子を分散して、押出し成型することにより形成することができる。
また、拡散板の厚さは、１〜５ｍｍの範囲であることが好ましい。拡散板の厚さが１ｍｍ未満であると、薄すぎてこしがなくなるためにたわむという問題が生じるため好ましくない。一方、拡散板の厚さが５ｍｍを越えると、光源６からの光の透過率が悪化するという問題が生じるため好ましくない。これに対して、拡散板の厚さが上述の範囲であると、拡散板がたわむことがなく、光源６からの光の透過率を適正な値に維持できるため好ましい。
【００４７】
また、拡散板は、表面に微細な凹凸を備えていて、その微細な凹凸によって光拡散性能を有していても良い。この場合、拡散板は、当該分野でよく知られた押し出し法、キャスト法、または押し出し法とキャスト法とを併用した方法で形成される。具体例として、図２に示すように、図２（ａ）は、拡散板の一方の面に微細な凹凸を作製したものであり、また図２（ｂ）、（ｃ）は拡散板の両面に微細な凹凸をつけたものの一例を示したものである。ここで、微細な凹凸の種類としては、凸状シリンドリカル形状のもの、レンズ形状のもの、三角プリズム形状が挙げられるが、これらに限定されるものではなく、拡散板の光拡散機能が微細の凹凸が付与される前に比較して向上する凹凸形状のものであればよい。また、拡散板の表面に微細な凹凸を形成することにより、上述の光拡散機能を付与することにとどまらず、空気層１２を確保することもできる。
【００４８】
更に図２（ｄ）は、拡散板の両面の表面に微粒子層を付けたものであり、この微粒子層は両面に限らず片面に付けたものでもよい。また、この微粒子層は、例えば、ビーズ、スペーサー部材等を含有する透明インキを例示することができるが、微粒子層の厚さ、微粒子の種類、大きさは、特に限定されるものではなく、拡散板の光拡散機能が微粒子層を付与する前と比較して向上するものであればよい。
【００４９】
光伝達層９は、この他にも前述した調光機能シート８と同様の部材を使用しても良い。また、微細な空洞を有した熱可塑性樹脂シートを使用しても良い。
【００５０】
粘着層１０は、調光機能シート８と光伝達層９とをスペーサー部材１１を介して一体に接合するために用いられる。粘着層１０には、例えば、アクリル系、ウレタン系、ゴム系、シリコン系の接粘着材を使用することができる。
【００５１】
粘着層１０の貯蔵弾性率Ｇ’は、いずれの場合も高温のバックライトユニット５内で使用されるため、１００℃における貯蔵弾性率Ｇ’が１．０×１０４Ｐａ以上１．０×１０８以下の範囲であることが望ましい。１００℃における貯蔵弾性率Ｇ’が１．０×１０４Ｐａ未満であると、高温状態での使用中において調光機能シート８と光伝達層９とがずれてしまう可能性があるため好ましくない。一方、１００℃における貯蔵弾性率Ｇ’が１．０×１０８を超えると、粘着性が弱く接着機能を有しないため好ましくない。
【００５２】
粘着層１０の厚さは、２μｍ以上１５μｍ以下の範囲であることが望ましい。粘着層１０の厚さが２μｍ未満であると、接着機能が発現せず、安定した製造が困難となるため好ましくない。一方、１５μｍを超えると外部圧力に対する変形が大きくなることによりディスプレイの輝度ムラが発生しやすく、スペーサー部材１１との接着が強固になることにより元の形状に戻りづらくなるため好ましくない。
【００５３】
また、粘着層１０には、屈折率の異なる有機粒子や無機粒子などの透明粒子等を混ぜて使用しても良い。さらに、粘着層１０は、両面テープ状のものであっても良いし、単層のものであってもよい。更にまた、粘着層１０には、あらかじめシート状に加工したものを用いても良いし、シート部材に直接塗布しても良い。また、粘着層１０と隣接する面には、あらかじめコロナ処理を施しても良い。なお、屈折率の異なる有機粒子や無機粒子などの透明粒子については前述した通りである。
【００５４】
粘着層１０を塗布する方法として、コンマコーター等の各種塗工装置、印刷方式、ディスペンサーやスプレーを用いる方法、または筆等を用いた手作業による塗工であってもよい。
【００５５】
スペーサー部材１１は、図１に示すように、光伝達層９から粘着層１０側に向けて、光伝達層９の表面に突出するように設けられており、スペーサー部材１１の先端と粘着層１０とを接合させることで調光機能シート８と光伝達層９との間に空気層１２を一定の厚さで均一に形成することができる。これにより、スペーサー部材１１すなわち肋材は、一体型の光学シート３に剛性を付与すると共に、光学密着、ムラ、ニュートンリング等の外観特性を向上させることができる。
【００５６】
スペーサー部材１１は、調光機能シート８や光伝達層９とは別個に成形されたものであっても一体成形されたものであってもよい。また、スペーサー部材の材質としては、例えばポリエステル樹脂、アクリル樹脂、ポリカーボネ−ト樹脂、ポリスチレン樹脂、メチルスチレン樹脂、ポリメチルペンテン樹脂、シクロオレフィンポリマー等の熱可塑性樹脂、あるいはポリエステルアクリレート、ウレタンアクリレート、エポキシアクリレート等のオリゴマー又はアクリレート系等からなる放射線硬化性樹脂などを用いることができるが、これ以外であってもスペーサー部材の特性を出せる樹脂等も使用することができる。また、このような材質中に無機、有機粒子や気泡などを含有させて、拡散や着色等の他の効果を併せ持たせたものであってもよい。なお、調光機能シート８や光伝達層９と一体成形する場合であっても、スペーサー部材１１のみをこれらとは異なる他の材質で構成してもよい。
【００５７】
また、スペーサー部材１１の材質中に分散させる無機、有機粒子として、シリカやアルミナ、酸化チタンやカーボンブラック、ガラスビーズなどの無機物や各種樹脂ビーズ等の有機物などを使用することができる。また透明スペーサー部材に分散させる各種粒子はスペーサー部材表面に反射特性を持たせるなど、局所的に配置させたりすることもできる。また樹脂中に気泡などを分散させて粒子の代わりに用いることもできる。これらの主となる材質中に分散させる粒子や気泡は、使用する用途に応じて、複数種類を組み合わせて適宜使用することができる。
【００５８】
スペーサー部材１１の形状は、図３の（ａ）〜（ｇ）に例示するように、略同一または非対称の多角錐、円錐、多角台錐、円台錐、多角柱、円柱、直方体、球体、半球体、楕円体、又は、図３の（ｍ）〜（ｒ）に例示するように、これらを複合した形状のいずれかの形状から任意に選択することができる。
また、スペーサー部材１１は、図３の（ｈ）〜（ｊ）に例示するように、その断面形状が多角形、半円形、又は、図３の（ｋ）に例示するように、これらを複合した形状のいずれかである凸条形状を有するリブ部材を用いることができる。
さらに、スペーサー部材１１は、図３の（ａ）〜（ｇ）及び（ｍ）〜（ｒ）に例示した形状のスペーサー部材を１方向以上に配置して構成される肋材、すなわちリブ状部材を用いることができる。
【００５９】
スペーサー部材１１の二次元配列は、図４に示すように、ストライプ状（（ａ）〜（ｃ））、点状（図４（ｉ））、格子状（図４（ｄ），（ｅ））とすることができる。また、スペーサー部材１１の二次元配列は、規則的（例えば、図４（ｇ），（ｈ））でも良いし、規則的でなくても良い（例えば、図４（ｆ），（ｉ））。
【００６０】
空気層１２は、調光機能シート８が屈折率差を利用するため、調光機能シート８への入射光を低屈折率層から入射させるために設けられている。この空気層１２を確保し、調光機能シート８と光伝達層９とを一体接合するため、スペーサー部材１１と粘着層１０とが用いられている。このような一体接合箇所は一体型の光学シート３中に複数層設けられていても良い。
【００６１】
以上のような調光機能シート８と光伝達層９とを、粘着層１０とスペーサー部材１１の先端とを接合させることで少なくとも部分的に空気層１２を確保しつつ接合させる。一体型の光学シート３の接合方法には、粘着層１０にスペーサー部材１１の先端を埋め込む、またはスペーサー部材１１の面全体もしくは一部を粘着層１０と接することで接合させる方法を用いる。以下に、少なくとも部分的に空気層１２を介して接合する方法を説明する。
【００６２】
上述の接合方法は、以下の三つの方法を例示することができる。
一つ目の方法は、シート部材の表示領域外（ディスプレイ装置１に光学シート３が組み込まれた場合に画像表示に使用される以外の領域をいう）のみ固定する方法である。この接合方法には、光学性能は求められない。
二つ目の方法は、表示領域内を固定する方法である。この接合方法には、光学性能や外観を低下させすぎないことが要求される。
三つ目の方法は、上記二つの方法を併用する方法である。いずれも密着を防止し、空気層１２を確保するため、スペーサー部材１１に代表される凹凸構造が使用される。
【００６３】
一体型の光学シート３は、少なくとも部分的に表示領域内を固定する。図５（ａ）〜（ｄ）は、いずれも本発明の光学シート３の構成例を示している。
図５（ａ）は、図１に適用されている光学シート３を示している。調光機能シート８には、光伝達層９と対向する側に粘着層１０が設けられており、光伝達層９には、調光機能シート８と対向する側にスペーサー部材１１が設けられている。そして、光学シート３は、調光機能シート８と光伝達層９とが、粘着層１０とスペーサー部材１１の先端とを接合させることで部分的に空気層１２を確保しつつ接合（一体化）されている。
一方、図５（ｂ）に示すような光学シート３２には、調光機能シート８の光伝達層９と対向する側にスペーサー部材１１が設けられており、光伝達層９の調光機能シート８と対向する側に粘着層１０が設けられている。そして、光学シート３は、調光機能シート８と光伝達層９とが、粘着層１０とスペーサー部材１１の先端とを接合させることで部分的に空気層１２を確保しつつ接合（一体化）されている。
一方、図５（ｃ）に示すような光学シート３３には、調光機能シート８及び光伝達層９の互いに対向する側に粘着層１０が設けられている。そして、光学シート３は、調光機能シート８と光伝達層９とが、粘着層１０とスペーサー部材１１の先端とを接合させることで部分的に空気層１２を確保しつつ接合（一体化）されている。
一方、図５（ｄ）に示すような光学シート３４には、調光機能シート８及び光伝達層９の互いに対向する側にスペーサー部材１１が設けられている。そして、光学シート３は、調光機能シート８と光伝達層９とが、粘着層１０とスペーサー部材１１の先端とを接合させることで部分的に空気層１２を確保しつつ接合（一体化）されている。
以上の図５（ａ）〜（ｄ）に示すように、スペーサー部材１１は、調光機能シート８と光伝達層９のいずれか一方、もしくは両方と一体成型されていても良い。また、スペーサー部材１１はいずれの層から独立しても良い。
【００６４】
図６は、光学シート３の調光機能シート８と光伝達層９との接合部分を拡大した構成例を示している。図６（ａ）から図６（ｃ）に示すように、スペーサー部材１１は、調光機能シート８と光伝達層９とのいずれか一方、もしくは両方と一体に成型されていても良い。また、粘着層１０は、シート部材の面全体に接しても良いし、図６（ｄ）や図６（ｆ）のように調光機能シート８又は光伝達層９の一部に接していても良い。また、スペーサー部材１１は、図６（ｅ）や図６（ｆ）のように粘着層１０に浸入していてもよい。
【００６５】
図７は、本発明が解決しようとする課題の説明図を示す。表示領域内で一体接合した場合、ディスプレイ観察者側からスペーサー部材１１の先端と粘着層１０との非接触領域２０と、スペーサー部材１１の先端と粘着層１０との接触領域２１とは出射光の配光分布が異なるため、視認される。そこで、接触領域２１の面積の分布をディスプレイの面積の分布をディスプレイの面全体で一様にしたりすることで、個々の領域を認識できなくする工夫を施す。しかし、一体型光学シート３の製造工程、輸送、保管工程およびディスプレイ使用時に外部から圧力が加わると、圧力が加わった部分にのみ局所的にスペーサー部材１１と接着層１０との接触領域２１の面積が増加し、ディスプレイの輝度ムラとして認識されてしまう。本発明は粘着層１０の表面１０ａとスペーサー部材１１の側面１１ａとのなす各αを規定することにより、外部圧力に対し接触領域２１の面積が変化しにくく、面積が変化した場合でも接触領域２１の面積がすみやかに復元するスペーサー部材１１の形状を提供する。
【００６６】
すなわち、図７に示すように、粘着層１０の表面１０ａとスペーサー部材１１の側面１１ａとのなす角αが、粘着層１０の厚さ方向の最大の長さをＸとしたとき、粘着層１０に接合しているシート部材の面から厚さ方向にＸ〜Ｘ＋１０μｍの範囲内において、粘着層１０の表面１０ａとスペーサー部材１１の側面１１ａとのなす角αが２０〜８５°の範囲となるようにスペーサー部材１１の形状を付与する。
前記角度αが８５°を越えると金型を用いてのスペーサー部材１１の製造が困難となるため好ましくない。一方、前記角度αが２０°未満であると一体型の光学シート３の圧力に対して輝度ムラが発生してしまい、復元しないため好ましくない。
【００６７】
粘着層１０が接する、もしくは圧力で接する可能性のある部分のスペーサー部材１１の面の角度αを急峻にすることで、粘着層１０とスペーサー部材１１とが密着しにくくしている。密着しにくくするために、スペーサー部材１１に離形処理する方法も考えられるが、スペーサー部材１１に局所的に処理を施すことは難しく、かつ全体に施すと一体化の強度が損なわれるため、現実的ではない。
【００６８】
前述したスペーサー部材１１の形状は、より好ましくは、圧力に対し、スペーサー部材１１の先端と粘着層１０との接触領域２１の面積が変化しにくいことが好ましい。具体的には、スペーサー部材１１の形状は、その縦断面が三角形よりも四角形や台形であって、粘着層１０との接触面が広く、そして鋭くない形状が望ましい。
【００６９】
スペーサー部材１１の、光学シート３の厚さ方向の幅（すなわちスペーサー部材１１の高さ）は、可視光の波長（４００〜８００ｎｍ）以上、２５０μｍ以下が望ましい。前記幅が可視光の波長未満では、空気層１２の屈折効果が得られないため好ましくない。一方、前記幅が２５０μｍを超えるとスペーサー部材１１の視認性が上がり、輝度ムラの原因になり、またサイドから光漏れが起こりやすくなるため好ましくない。さらに、前記幅が１０μｍ以上であることが好ましい。１０μｍ未満の場合には、外部衝撃によってスペーサー部材１１が粘着層１０に埋まってしまい、視認性を悪化させてしまうために好ましくない。
【００７０】
また、スペーサー部材１１の先端と粘着層１０との接触領域２１は、画像表示時の視認性を低下させる。このため、スペーサー部材１１が一方向に延在したレンチキュラー形状、台形形状、プリズム形状などの構造に関しては、接触領域２１の線幅が１００μｍ以下であることが好ましい。また、スペーサー部材１１が円錐（又は多角台錐、円錐台など）や多角柱、円柱などの柱状、直方体や球状（又は半球状）、楕円体などの構造の場合には、接触領域２１の面積が２５００μｍ２以下とすることが好ましい。更に視認性を向上させるためには、前記線幅を５０μｍ、前記面積を１５００μｍ２以下にすることがより好ましい。
【００７１】
光学シート３の面全体に対する接触領域２１の面積は、接着強度の低下や正面輝度の低下を妨げるために０．０１％以上６０％以下にすることが望ましい。
【００７２】
スペーサー部材１１が調光機能シート８や光伝達層９と一体成型されている場合には、前述した調光機能シート８や光伝達層９と同様の方法で製造することができる。また、スペーサー部材１１は離間していても良いため、図３（ｌ）のようにレンズアレイや凹凸形状と併用して配列することもできる。
【００７３】
スペーサー部材１１の形成には、スペーサー部材１１の主材料である熱可塑性樹脂や熱硬化性樹脂又はＵＶ硬化性樹脂に前述した屈折率の異なる有機粒子や無機粒子、拡散や隠蔽などの効果を併せ持つ粒子を混ぜても良い。また、スペーサー部材１１の表面に高屈折率透明粒子を分散混合してなるインキや光反射性の高い銀やアルミウム、ニッケル等の金属を蒸着やスパッタ等の乾式成膜行っても良い。
【００７４】
スペーサー部材１１がいずれの部材とも一体成型されていない場合、あらかじめ作成したスペーサー部材１１を、粘着層１０上に分散配置しても良い。
【００７５】
また、予め粘着層１０にスペーサー部材１１を分散させておき、各種印刷法で塗工することで粘着性を有したスペーサー部材を一度に作製でき、更に散在させることができるため同様に、一定の空隙を有するように一体化することができる。このときに使用するスペーサー部材１１は、前述した有機粒子や無機粒子などを使用しても良い。
【００７６】
液晶表示部４は、例えば矩形格子状に形成された複数の画素領域ごとに、画像信号に応じて光の透過状態を制御する表示素子またはパネル４ａと、この表示素子またはパネル４ａに入射する光の偏光方向を制御する偏光板４ｂ及び出射する光の偏光方向を制御する偏光板４ｃとから構成される。
【００７７】
以上のように作成した一体型の光学シートをバックライト５に組み込み使用する
バックライトユニット５は、図１に示すように、光源６が配置されたランプハウス７に、一体の光学シート３が配置されている。構成によっては、一体型の光学シート３の液晶表示部４側に、さらに拡散シートや反射型偏光分離シート１７を設けることもある。
【００７８】
一体型の光学シート３もしくはこれらの構成を少なくとも１つ以上含む光学シート群は、光源が、冷陰極蛍光ランプの場合はもちろん、近年、ディスプレイ用光源として注目を浴びているＬＥＤ、ＥＬ、半導体レーザー等を用いたディスプレイ装置にも用いることができる。
【００７９】
ここで、ディスプレイ装置１の光源６としてＬＥＤを用いる場合、赤色、緑色、青色のＬＥＤのアレイを使用し、導光板等で赤色、緑色、青色のＬＥＤのアレイからの光を混ぜ合わせ白色光として均一に出射するものや、拡散機能をもつ光学制御要素を用いて赤色、緑色、青色のＬＥＤのアレイからの光を混ぜ合わせ白色光として均一に出射することができるものにも使用できる。
【００８０】
またバックライトユニット５においては、ますます薄型化が進んでおり、それに従い光源６と光学シート３との距離も短くなっているが、本実施形態の光学シート３もしくは光学シート群を使用すれば直下型やサイドエッジ型のバックライトユニット５においても、光源ランプ６同士の間に暗い箇所生じる等視認性の影響はなく十分に使用することができる。
さらにディスプレイ装置１もますます大型化の一途をたどっており、それに伴い光学シート３もしくは光学シート群のサイズも大きくなっていくが、本実施形態の光学シート３もしくは光学シート群は一体型であるため薄くて強度が強く、さらに表示品位も優れているためこういった大型ディスプレイ装置１にも十分に使用できる。
【００８１】
以上説明したように、本実施形態の光学シート３は、液晶表示装置用光学シートとして調光機能シート８と光伝達層９とを一体化したもののうちスペーサー部材１１と粘着層１０との角度を規定することにより、空気層１２を確保するとともに、外部圧力に対し粘着層１０とスペーサー部材１１との接触領域２１の大きさを変化しにくくさせることができる。
また、本実施形態のスペーサー部材１１の形状により、前記接触面積２１が変化した場合でも接触領域２１の面積をすみやかに復元させることができる。
また、これらの特性を利用することで、従来よりも輝度ムラが発生しにくい光学シート３を提供することができる。
また、本実施形態の光学シート３を用いることで、ディスプレイの輝度ムラが発生しにくいバックライトユニット５を提供することができる。
また、本実施形態の光学シート３及びバックライトユニット５を用いることで、ディスプレイの輝度ムラが発生しにくいディスプレイ装置１を提供することができる。
【００８２】
以上のように、本実施形態の光学シート３及びバックライトユニット５、並びにディスプレイ装置１によって、外部からの圧力によって粘着剤１０とスペーサー部材１１との接着面積２１が変化しても、経時により接着面積２１が復元するディスプレイの輝度ムラの少ない光学シート及びこれを用いたバックライトユニット、並びにこれらを用いたディスプレイ装置を提供することができる。
【実施例】
【００８３】
以下に、本発明の光学シートの具体的な実施例を挙げ、本発明の効果をより詳細に説明する。なお、本発明は、以下の実施例に限定されるものでなく、その要旨を変更しない範囲で適宜変更して実施することができる。
【００８４】
前述の図５（ｄ）に示した光学シート３４と同一の構成を有する光学シートを、以下の方法により製造して、それぞれ試験例１〜１０とした。
【００８５】
（調光機能シートの形成方法）
調光機能シートは、幅方向にピッチ５０μｍ、高さ方向に２５μｍ、頂角９０°のシリンドリカルプリズムアレイを伴ったシートを、透明樹脂を用いて押し出し成型により厚さ２４０μｍに成型したものを用いた。
この際、透明樹脂としてポリカーボネート樹脂を使用すると共に、屈折率の異なるポリカーボネート粒子を添加し、シートの濁度（ヘイズ）が４０％になるように調整した。なお、ヘイズとは全透過光中の散乱光（つまり非直進光）の割合である。
【００８６】
（スペーサー部材つき調光機能シートの形成方法）
続いて、上述した調光機能シートのシリンドカルプリズムアレイが形成された面と反対側の面に、スペーサー部材を熱プレスにより厚さ２４０μｍに成型した。
ここで、スペーサー部材は、表１の試験例１〜１０に示した形状を作成した。
また、プレス処理は、圧力１トン、温度１５０℃の条件で５分間処理を行った。なお、圧力が均一にかかるように型とプレス機との間にシリコンをはさんでプレス処理を行い、プレス処理後は除冷した。
【００８７】
（スペーサー部材つき光導電層の形成方法）
光導電層には、拡散板を用いた。拡散板は、市販されている厚さ２ｍｍのＭＳ（メタクリル酸メチルスチレン共重合体）拡散板を（濁度：９９％、全光線透過率（Ｔｔ）：６０％）を使用した。
続いて、上述の拡散板に熱プレス処理を施して所望のスペーサー部材を成型した。
ここで、スペーサー部材は、表１の試験例１〜１０に示した形状を作成した。
また、プレス処理は、圧力１トン、温度１５０℃の条件で５分間処理を行った。なお、圧力が均一にかかるように型とプレス機との間にシリコンをはさんでプレス処理を行い、プレス処理後は除冷した。
【００８８】
（粘着層の形成方法）
粘着層は、１００℃における貯蔵弾性率Ｇ’が１．０×１０４Ｐａ以上の粘着層をあらかじめ厚さ１０μｍ、又は２０μｍの単層粘着シート状に塗工したものを使用した。
また、粘着層には屈折率の異なるメタクリル酸エステル共重合粒子を添加し、粘着層の濁度（ヘイズ）が約１７％程度になるように調整した。
【００８９】
（光学シートの製造方法）
上述のスペーサー部材つき調光機能シートと、上述のスペーサー部材つき光伝達層とを、上述の粘着層でラミネート処理して一体化した。
また、ラミネート処理は、圧力０．４ＭＰａ、温度２５℃のラミネート条件を用いた。
以上のようにして、表１に示す試験例１〜１０の光学シートを製造した。
【００９０】
（光学シートの加圧処理方法）
上述した試験例１〜１０の光学シートに対して、圧力：２ＭＰａ、ラミネート速度：０．５ｍ／ｍｉｎ、加圧時間：１５ｓｅｃの条件で加圧処理を実施して、光学シートの輝度ムラの発生の如何を評価した。評価は加圧処理後の光学シートを液晶テレビにセットして、目視にて輝度ムラを確認した。結果を表１に示す。
【００９１】
【表１】
2009150981.tif 000003
【００９２】
（光学シートの評価結果）
粘着層の厚さが２０μｍの試験例２，４，６，８，１０では、加圧処理後にスペーサー部材の形状によらずムラが発生した。そして、その縦断面形状が台形であるシリンドリカルのスペーサー部材（試験例８）を除き、その後元の形状に戻ることは無かった。
また、粘着層の厚さが１０μｍの試験例１，３，５，７，９では、スペーサー部材の縦断面形状によりムラ発生に違いが確認された。粘着層の表面とスペーサー部材の側面との角度αが大きいものほど加圧に対して発生したムラが視認しづらいと共に、加圧後の戻りも早い傾向が確認された。特に頂角が１５０°の試験例６においては、空気層が完全になくなり、復元性がなかった。また、スペーサー部材が射出成形等によって調光機能シートと一体に形成されていても上記の傾向に変化はなかった。
【００９３】
以上より、スペーサー部材の側面と粘着層の表面との接着角度が２５〜８０°の範囲に存在することにより、外部からの圧力に対し、粘着層とスペーサー部材との接着面積を変化しにくくさせ、さらに粘着剤とスペーサー部材の接着面積が変化しても、経時により接着面積を復元させムラの少ない光学シートを提供することができる。
【図面の簡単な説明】
【００９４】
【図１】図１は、本実施形態のディスプレイ装置を示す模式図である。
【図２】図２は、本実施形態の拡散板の構成例を示す図である。
【図３】図３は、本実施形態のスペーサー部材の形状例を示す図である。
【図４】図４は、本実施形態のスペーサー部材の二次元配列の例を示す図である。
【図５】図５は、本実施形態のスペーサー部材を使用し一体化させた光学シートの構成例を示す図である。
【図６】図６は、本実施形態のスペーサー部材と粘着層との接合方法を示す図である。
【図７】図７は、本実施形態の光学シートにおける外部圧力による接触領域の変化を示す図である。
【図８】図８は、従来の光学シートにおける外部圧力による接触領域の変化を示す図である。
【符号の説明】
【００９５】
１・・・ディスプレイ装置、２・・・光源部、３，３２，３３，３４・・・光学シート、４・・・液晶表示部、５・・・バックライトユニット、６・・・光源、７・・・反射板、８・・・調光機能シート、９・・・光伝達層、１０・・・粘着層、１０ａ・・・粘着層の表面、１１・・・スペーサー部材、１１ａ・・・スペーサー部材の側面、１２・・・空気層、１３・・・拡散シート（反射型偏向分離シート）、２０・・・スペーサー部材と粘着層との非接触領域、２１・・・スペーサー部材と粘着層との接触領域
【図１】
2009150981.tif 000004
【図２】
2009150981.tif 000005
【図３】
2009150981.tif 000006
【図４】
2009150981.tif 000007
【図５】
2009150981.tif 000008
【図６】
2009150981.tif 000009
【図７】
2009150981.tif 000010
【図８】
2009150981.tif 000011